(57)【要約】【課題】場所による空気の浄化の偏りをなくし、衛生的な空気環境の確保を容易にする給排気装置、遊技場給排気システムおよび遊技場給排気方法を提供する。【解決手段】排気システムが複数の島１と給排気装置２と給気ファンと排気ファンとを有する。各島１は側面に複数の遊技機１１が取り付けられている。給排気装置２は給気口２４と１対の整流板と１対の排気口とを有する。給気口２４は真下に空気を吹き出す構成を有する。各整流板は前記給気口の空気吹出し方向に対し９０度未満の角度で傾斜して前記給気口２４を互いに挟むよう設けられる。各排気口は空気を吸引する構成を有して前記給気口２４と各整流板を隔てた位置にそれぞれ設けられている。各整流板は各島１の方向にそれぞれ向けられている。給気ファンは給気口２４に空気を送るよう設けられている。排気ファンは排気口から空気を吸引するよう設けられている。【選択図】図１
2006320432.tif 000002
【特許請求の範囲】
【請求項１】
給気口と１対の整流板と１対の排気口とを有し、
前記給気口は真下に空気を吹き出す構成を有し、
各整流板は前記給気口の空気吹出し方向に対し９０度未満の角度で傾斜して前記給気口を互いに挟むよう設けられ、
各排気口は空気を吸引する構成を有して前記給気口と各整流板を隔てた位置にそれぞれ設けられていることを、
特徴とする給排気装置。
【請求項２】
複数の並列の島と、請求項１記載の給排気装置と、給気ファンと、排気ファンとを有し、
各島は側面に複数の遊技機が取り付けられ、
前記給排気装置は各島の間の上方に設けられ、各整流板は各島の方向にそれぞれ向けられ、
前記給気ファンは前記給気口に空気を送るよう設けられ、
前記排気ファンは前記排気口から空気を吸引するよう設けられていることを、
特徴とする遊技場給排気システム。
【請求項３】
外気送風口が各島の両端より外側に設けられ、
空気吸込口が各島の両端より外側の上方に設けられて前記給気ファンに空気を吸引されるよう接続されていることを、
特徴とする請求項２記載の遊技場給排気システム。
【請求項４】
タバコの煙を検出するための煙センサが各島の間の上方に島の長さ方向に沿って複数設けられ、
前記給気ファンは給気量を調節可能に構成され、
前記排気ファンは排気量を調節可能に構成され、
各煙センサの検出信号を入力し、入力した検出信号の数に応じて前記給気ファンの給気量および前記排気ファンの排気量を制御可能な制御装置を有することを、
特徴とする請求項２または３記載の遊技場給排気システム。
【請求項５】
ライターまたはタバコの炎を検出するための炎センサが各島の間の上方に島の長さ方向に沿って複数設けられ、
前記給気ファンは給気量を調節可能に構成され、
前記排気ファンは排気量を調節可能に構成され、
各炎センサの検出信号を入力し、入力した検出信号の数に応じて前記給気ファンの給気量および前記排気ファンの排気量を制御可能な制御装置を有することを、
特徴とする請求項２または３記載の遊技場給排気システム。
【請求項６】
側面に複数の遊技機が取り付けられた複数の並列の島の各島の間の上方に請求項１記載の給排気装置が設けられ、各整流板は各島の方向にそれぞれ向けられており、前記給排気装置の給気口から各島の間の床方向に空気を吹き出し、床上から各島に沿って上昇する空気を前記排気口から吸い込み、外気へ放出することを特徴とする遊技場給排気方法。
【発明の詳細な説明】
【技術分野】
【０００１】
本発明は、パチンコ店やスロット店などの遊技場に適した給排気装置、遊技場給排気システムおよび遊技場給排気方法に関する。
【背景技術】
【０００２】
従来、遊技場において複数台の遊技機の現時点での稼働台数を検出し、その検出した稼働台数に基づいて給気ファンおよび排気ファンの運転を自動的に制御し、それにより、給気ファンおよび排気ファンを効率良く運転し、消費電力の無駄をが抑える遊技場給排気システムがある（例えば、特許文献１参照）。
【０００３】
【特許文献１】特開２００４−３０５４６４号公報
【発明の開示】
【発明が解決しようとする課題】
【０００４】
しかしながら、従来の遊技場給排気システムでは、島の一方の端部側に給気ファンを設け、他方の端部側に排気ファンを設けて、各島の間を通して給排気を行うようになっている。このため、島の給気側に近い位置の空気が汚れていると、その汚れた空気が排気側に流れ、島の排気側に近い位置では空気の浄化が進みにくく、衛生的環境の確保が難しいという課題があった。特に、島の給気側に近い位置の遊技機でお客が喫煙していると、タバコの煙が排気側に流れ、島の排気側に近い位置の遊技機までタバコの煙で汚れた空気が流れることになる。タバコの煙は、臭いが衣服や髪に付いたりヤニで壁面を汚したりするうえ、受動喫煙による発ガン性が指摘されている。また、タバコの煙による空気環境の悪さが遊技場からお客を遠ざける原因となっている。このため、タバコの煙を極力、除去することが望まれている。
【０００５】
本発明は、このような従来の課題に着目してなされたもので、場所による空気の浄化の偏りをなくし、衛生的な空気環境の確保を容易にする給排気装置、遊技場給排気システムおよび遊技場給排気方法を提供することを目的とする。
【課題を解決するための手段】
【０００６】
上記目的を達成するために、本発明に係る給排気装置は、給気口と１対の整流板と１対の排気口とを有し、前記給気口は真下に空気を吹き出す構成を有し、各整流板は前記給気口の空気吹出し方向に対し９０度未満の角度で傾斜して前記給気口を互いに挟むよう設けられ、各排気口は空気を吸引する構成を有して前記給気口と各整流板を隔てた位置にそれぞれ設けられていることを、特徴とする。
【０００７】
本発明に係る給排気装置は、給気口から真下に空気を吹き出し、吹き出された空気は各整流板を迂回し、循環して戻った空気を各排気口から吸引する。この際、各排気口に吸い込まれる空気は、給気口から真下に吹き出される空気の流れにより誘引されて各排気口に導かれる。こうして、給気口から床面に向けて空気を吹き出せば、床上から壁などに沿って上昇する空気を排気口から吸い込み、換気することができる。これにより、室内の互いに離れた位置で給排気を行う場合に比べて、場所による空気の浄化の偏りをなくし、衛生的な空気環境の確保を容易にすることができる。なお、整流板は、傾斜角度または傾斜して突出する長さを調節可能であってもよい。
【０００８】
本発明に係る遊技場給排気システムは、複数の並列の島と、本発明に係る給排気装置と、給気ファンと、排気ファンとを有し、各島は側面に複数の遊技機が取り付けられ、前記給排気装置は各島の間の上方に設けられ、各整流板は各島の方向にそれぞれ向けられ、前記給気ファンは前記給気口に空気を送るよう設けられ、前記排気ファンは前記排気口から空気を吸引するよう設けられていることを、特徴とする。
【０００９】
本発明に係る遊技場給排気システムでは、給気ファンおよび排気ファンを稼動させて、本発明に係る給排気装置の給気口から各島の間の床方向に空気を吹き出し、床上から各島に沿って上昇して、各整流板を迂回し、循環して戻った空気を各排気口から吸い込み、換気することができる。これにより、島の両端の互いに離れた位置で給排気を行う場合に比べて、場所による空気の浄化の偏りをなくし、遊技場で衛生的な空気環境の確保を容易にすることができる。なお、給気口および排気口は、島の長さ方向に長く伸びていることが好ましく、また、島の両端まで伸びていることが好ましい。
【００１０】
本発明に係る遊技場給排気システムは、外気送風口が各島の両端より外側に設けられ、空気吸込口が各島の両端より外側の上方に設けられて前記給気ファンに空気を吸引されるよう接続されていることが好ましい。
この場合、外気送風口から各島の両端より外側に外気を送風し、同じく各島の両端より外側の上方で空気吸込口から給気ファンにより空気を吸引する。給気ファンにより吸引された空気は、給気口から各島の間の床方向に吹き出される。これにより、室内の互いに離れた位置で給排気を行う場合に比べて、場所による空気の浄化の偏りをなくし、衛生的な空気環境の確保を容易にすることができる。
【００１１】
本発明に係る遊技場給排気システムは、タバコの煙を検出するための煙センサが各島の間の上方に島の長さ方向に沿って複数設けられ、前記給気ファンは給気量を調節可能に構成され、前記排気ファンは排気量を調節可能に構成され、各煙センサの検出信号を入力し、入力した検出信号の数に応じて前記給気ファンの給気量および前記排気ファンの排気量を制御可能な制御装置を有することが好ましい。
この場合、煙センサがタバコの煙を検出すると、島の長さ方向に沿って検出した数に応じて制御装置が給気ファンの給気量および排気ファンの排気量を制御し、タバコの煙の量が多いとき給気ファンの給気量および排気ファンの排気量を増やし、その量が少ないとき給気ファンの給気量および排気ファンの排気量を減らす。遊技場の空気の汚れは、ほとんどタバコの煙が原因のため、タバコの煙の量に応じて給排気を行うことにより、効率的な換気を行うことができる。複数の煙センサは、所定の間隔で設けられていることが好ましい。なお、煙センサは、二酸化炭素センサから成っていてもよい。
【００１２】
本発明に係る遊技場給排気システムは、ライターまたはタバコの炎を検出するための炎センサが各島の間の上方に島の長さ方向に沿って複数設けられ、前記給気ファンは給気量を調節可能に構成され、前記排気ファンは排気量を調節可能に構成され、各炎センサの検出信号を入力し、入力した検出信号の数に応じて前記給気ファンの給気量および前記排気ファンの排気量を制御可能な制御装置を有することが好ましい。
この場合、炎センサがライターまたはタバコの炎を検出すると、島の長さ方向に沿って検出した数に応じて制御装置が給気ファンの給気量および排気ファンの排気量を制御する。すなわち、検出したライターまたはタバコの炎の数が多いとき、タバコが多く吸われて煙の量が多いと判断して給気ファンの給気量および排気ファンの排気量を増やし、その数が少ないときタバコが吸われておらず煙の量が少ないと判断して給気ファンの給気量および排気ファンの排気量を減らす。遊技場の空気の汚れは、ほとんどタバコが原因のため、ライターまたはタバコの炎の数に応じて給排気を行うことにより、効率的な換気を行うことができる。複数の炎センサは、所定の間隔で設けられていることが好ましい。炎センサには、赤外線センサを用いることができる。
【００１３】
本発明に係る遊技場給排気方法は、側面に複数の遊技機が取り付けられた複数の並列の島の各島の間の上方に請求項１記載の給排気装置が設けられ、各整流板は各島の方向にそれぞれ向けられており、前記給排気装置の給気口から各島の間の床方向に空気を吹き出し、床上から各島に沿って上昇する空気を前記排気口から吸い込み、外気へ放出することを特徴とする。
【００１４】
本発明に係る遊技場給排気方法では、本発明に係る給排気装置の給気口から各島の間の床方向に空気を吹き出し、床上から各島に沿って上昇して、各整流板を迂回し、循環して戻った空気を各排気口から吸い込んで外気に放出することにより、換気することができる。この際、各排気口に吸い込まれる空気は、給気口から床方向に吹き出される空気の流れにより誘引されて各排気口に導かれる。こうして、島の両端の互いに離れた位置で給排気を行う場合に比べて、場所による空気の浄化の偏りをなくし、遊技場で衛生的な空気環境の確保を容易にすることができる。
【００１５】
なお、本発明において、遊技場内には空調機が設けられていることが好ましい。空調機は、外気温度・湿度および室内温度・湿度の各センサからの検出信号に応じて、空調温度および風量を調節可能であることが好ましい。
【発明の効果】
【００１６】
本発明によれば、場所による空気の浄化の偏りをなくし、衛生的な空気環境の確保を容易にする給排気装置、遊技場給排気システムおよび遊技場給排気方法を提供することができる。
【発明を実施するための最良の形態】
【００１７】
以下、図面に基づき、本発明の実施の形態について説明する。
図１乃至図５は、本発明の実施の形態を示している。
図１および図２に示すように、パチンコホール、スロットホールなどの遊技場に適した遊技場給排気システムが、複数の島１と、給排気装置２と、給気ファン３と、排気ファン４と、空調機５、制御装置（図示せず）とを有している。各島１は並列に配置され、それぞれ側面に、パチンコ台、スロット台などの複数の遊技機１１が並列に取り付けられている。各遊技機１１の前の床には、お客用のいすが固定されている。給排気装置２は、各島１の間の中央の上方に設けられている。給排気装置２は、天井に直接、取り付けられていても、天井から吊下げられていてもよい。
【００１８】
図３乃至図５に示すように、給排気装置２は、フード２１と給気部材２２と１対の整流板２３とを有している。フード２１は、細長い箱状であって、下方および端面２１ａが開放し上面２１ｂが閉じている。給気部材２２は断面が長方形の筒体であって、フード２１の内側にその上面２１ｂとの間に間隙をあけてフード２１の長さ方向に沿って設けられている。給気部材２２の下面２２ａには、ホール状の多数の給気口２４が等間隔配置で形成されている。給気口２４は、鉛直方向に真下に向けられ、真下に空気を吹き出すようになっている。
【００１９】
フード２１の上面２１ｂと給気部材２２の上面２２ｂとの間の間隙は、排気路２５を形成している。排気路２５の両方の側面とフード２１の両方の側面との間には、それぞれガイド板２６が固定されている。各ガイド板２６は、フード２１の上面に対して垂直の垂直面２６ａと、垂直面２６ａの下端からフード２１の側面まで傾斜して伸びる傾斜面２６ｂとを有している。各ガイド板２６は、フード２１の長さ方向に沿って長く伸びて設けられている。各整流板２３は、各ガイド板２６の下方で各ガイド板２６との間隙が排気路２５から次第に大きくなるよう傾斜して、上端が給気部材２２の各側面２２ｃの上縁に固定されている。各整流板２３は、給気口２４の空気吹出し方向、すなわち、真下方向に対し９０度未満の角度、好適には３０度乃至４５度の角度で傾斜して給気口２４を互いに挟むよう設けられている。各整流板２３は、フード２１の長さ方向に沿って長く伸びて設けられている。各整流板２３は、各島１の方向にそれぞれ向けられている。
【００２０】
給排気装置２は、各ガイド板２６と各整流板２３との間に１対の排気口２７を有している。各排気口２７は、フード２１の長さ方向に沿って長く伸び、空気を吸引する構成を有している。各排気口２７は、給気口２４と各整流板２３を隔てた位置にそれぞれ設けられている。
【００２１】
図２に示すように、給気ファン３は、給気ダクト６の端部付近に設けられ、各給気口２４に空気を送るようになっている。給気ファン３は、給気量を調節可能である。給気ダクト６の端部は各島１の両端より外側の上方に配置され、その端部に空気吸込口６ａが設けられている。これにより、空気吸込口６ａから給気ファン３により空気を吸引し、給気部材２２の給気口２４から吹き出すようになっている。排気ファン４は、排気ダクト７の端部付近に設けられ、排気口２７から空気を吸引し、吸引した空気を、排気ダクト７を通して排出口７ｂから外気に排出するようになっている。排気ファン４は、排気量を調節可能である。給気ファン３および排気ファン４は、給気と排気のバランスを保ちながら稼動するようになっている。
【００２２】
また、遊技場給排気システムは、外気用給気ダクト８および外気用給気ファン９を有している。外気用給気ダクト８は、室外に外気取入口８ａを有し、各島１の両端より外側の位置に外気送風口８ｂを有している。外気用給気ファン３は、外気取入口８ａに近い屋内で外気用給気ダクト８に接続されて設けられている。
【００２３】
空調機５は、各島１の両端より外側の位置の上方にそれぞれ取り付けられ、下方から空気を取り入れ、島１側とその反対側の壁１０側との間に空調した新鮮な空気を送風するようになっている。空調機５は、外気温度・湿度および室内温度・湿度の各センサからの検出信号に応じて、空調温度および風量を自動調節可能である。すなわち、夏など外気の温度が高い場合には風量を小さくし、冬など外気の温度が低い場合には風量を小さくする。春、秋は、空調を少なくし、給排気で室温を調節するようになっている。
【００２４】
図１および図２に示すように、遊技場給排気システムには、タバコの煙を検出するための煙センサ２０が各島１の間の上方に島１の長さ方向に沿って複数設けられている。複数の煙センサ２０は、所定の間隔、例えば、４台の遊技機１１ごとに１個の割合で設けられている。各煙センサ２０は、煙の検出後、所定の時間が経過すると検出信号の出力を停止し、空気の浄化後、繰返し検出可能となっている。制御装置（図示せず）は、コンピュータから成り、各煙センサ２０の検出信号を入力し、入力した検出信号の数に応じて給気ファン３の給気量および排気ファン４の排気量を制御可能となっている。給気ファン３の給気量および排気ファン４の排気量の調節は、ファンの回転数を自動的に調節して行う。
【００２５】
次に、作用について説明する。
図１（Ａ），（Ｂ）および図２に示すように、遊技場給排気システムでは、外気用給気ファン３によって外気用給気ダクト８の外気送風口８ｂから、各島１の両端より外側に外気を送風し、同じく各島１の両端より外側の上方で給気ダクト６の空気吸込口６ａから給気ファン３により空気を吸引する。給気ファン３により吸引された空気は、給排気装置２の給気口２４から各島１の間の床方向に吹き出される。
【００２６】
遊技場給排気システムは、給気ファン３および排気ファン４を稼動させて、給排気装置２の給気口２４から真下、すなわち各島１の間の床方向に空気を吹き出す。吹き出された空気は、床上から各島１に沿って上昇して、各整流板２３を迂回する。こうして循環して戻った空気を各排気口２７から吸い込み、排気ダクト７を通して排出口７ｂから屋外の外気に排出し、換気することができる。この際、各排気口２７に吸い込まれる空気は、給気口２４から床方向に吹き出される空気の流れにより誘引されて各排気口２７に導かれる。こうして、給気口２４から床面に向けて空気を吹き出せば、床上から壁などに沿って上昇する空気を排気口２７から吸い込み、排気ダクト７を通して換気することができる。これにより、島１の両端の互いに離れた位置で給排気を行う場合に比べて、場所による空気の浄化の偏りをなくし、遊技場で衛生的な空気環境の確保を容易にすることができる。
【００２７】
遊技場給排気システムでは、煙センサ２０がタバコの煙を検出すると、島１の長さ方向に沿って検出した数に応じて制御装置が給気ファン３の給気量および排気ファン４の排気量を制御する。すなわち、タバコの煙の量が多いとき給気ファン３の給気量および排気ファン４の排気量を増やし、その量が少ないとき給気ファン３の給気量および排気ファン４の排気量を減らす。給気ファン３の給気量および排気ファン４の排気量は、ファンの回転数を複数段階、例えば、０乃至７段階で自動的に調節することにより行うことができる。遊技場の空気の汚れは、ほとんどタバコの煙が原因のため、タバコの煙の量に応じて給排気を行うことにより、効率的な換気を行うことができる。
【００２８】
タバコの煙は、発ガン性があるうえ、臭いが衣服や髪に付いたりヤニで壁面を汚したりし、遊技場からお客を遠ざける原因として大きな問題となっていた。しかしながら、遊技場給排気システムでは、タバコの煙の量に応じて給排気を行うことができるので、稼動コストを最低限に抑えながら効率的な換気を行うことができる。
【００２９】
なお、煙センサの代わりに、ライターまたはタバコの炎を検出するための炎センサを用いてもよい。この場合、炎センサがライターまたはタバコの炎を検出すると、島の長さ方向に沿って検出した数に応じて制御装置が給気ファンの給気量および排気ファンの排気量を制御する。すなわち、検出したライターまたはタバコの炎の数が多いとき、タバコが多く吸われて煙の量が多いと判断して給気ファンの給気量および排気ファンの排気量を増やし、その数が少ないときタバコが吸われておらず煙の量が少ないと判断して給気ファンの給気量および排気ファンの排気量を減らす。こうして、効率的な換気を行うことができる。
【００３０】
さらに、遊技場給排気システムによれば、以下のようなメリットを生じる。すなわち、遊技場全体がムラなく空調され、常に新鮮な空気を行き渡らせることができる。お客ごとの喫煙に反応して汚れた空気をすばやく排気し、新鮮な空気をムラなく行き渡せることができる。隣からタバコの煙が流れてくることがなく、タバコの臭いが髪や衣服に付きにくい。壁がタバコのヤニで汚れにくいため、入店時のタバコの臭いが気にならない。店内のどのエリアも新鮮で、煙たくない環境になる。空気清浄機の設置が不要になる。換気による空調のロスが極めて少ない。給気と排気の風量を１対１で制御することにより、少ない風量で急速に換気できる。島１ごとに換気の管理を行うことにより、必要なときに必要な分だけ換気し、空調の熱消費を節約することができる。空調機５へ新鮮な空気をリターンさせるので、フィルターの汚れが極端に少なくなる。
【図面の簡単な説明】
【００３１】
【図１】本発明の実施の形態の遊技場給排気システムの（Ａ）タバコの煙を検出しないときの概要図、（Ｂ）タバコの煙を検出したときの概要図である。
【図２】図１の遊技場給排気システムの全体の空気の流れを示す概要図である。
【図３】図１の遊技場給排気システムの給排気装置を示す横断面図である。
【図４】図３の給排気装置の斜視図である。
【図５】図３の給排気装置の給排気の流れを示す斜視説明図である。
【符号の説明】
【００３２】
１  島
２  給排気装置
３  給気ファン
４  排気ファン
５  空調機
６  給気ダクト
７  排気ダクト
８  外気用給気ダクト
９  外気用給気ファン
１１  遊技機
２０  煙センサ
２１  フード
２２  給気部材
２３  整流板
２４  給気口
２５  排気路
２６  ガイド板
２７  排気口
【図３】
2006320432.tif 000003
【図４】
2006320432.tif 000004
【図５】
2006320432.tif 000005
【図１】
2006320432.tif 000006
【図２】
2006320432.tif 000007
【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
複数の並列の島と、給排気装置と、給気ファンと、排気ファンとを有し、
各島は側面に複数の遊技機が取り付けられ、
前記給排気装置は各島の間の上方に設けられ、給気口と１対の整流板と１対の排気口とを有し、前記給気口は真下に空気を吹き出す構成を有し、各整流板は前記給気口の空気吹出し方向に対し９０度未満の角度で傾斜して前記給気口を互いに挟むよう設けられ各島の方向にそれぞれ向けられ、各排気口は空気を吸引する構成を有して前記給気口と各整流板を隔てた位置にそれぞれ設けられており、
前記給気ファンは給気量を調節可能に構成されて前記給気口に空気を送るよう設けられ、
前記排気ファンは排気量を調節可能に構成されて前記排気口から空気を吸引するよう設けられており、
タバコの煙を検出するための煙センサが各島の間の上方に島の長さ方向に沿って複数設けられ、
各煙センサの検出信号を入力し、入力した検出信号の数に応じて前記給気ファンの給気量および前記排気ファンの排気量を制御可能な制御装置を有することを、
特徴とする遊技場給排気システム。
【請求項２】
複数の並列の島と、給排気装置と、給気ファンと、排気ファンとを有し、
各島は側面に複数の遊技機が取り付けられ、
前記給排気装置は各島の間の上方に設けられ、給気口と１対の整流板と１対の排気口とを有し、前記給気口は真下に空気を吹き出す構成を有し、各整流板は前記給気口の空気吹出し方向に対し９０度未満の角度で傾斜して前記給気口を互いに挟むよう設けられ各島の方向にそれぞれ向けられ、各排気口は空気を吸引する構成を有して前記給気口と各整流板を隔てた位置にそれぞれ設けられており、
前記給気ファンは給気量を調節可能に構成されて前記給気口に空気を送るよう設けられ、
前記排気ファンは排気量を調節可能に構成されて前記排気口から空気を吸引するよう設けられており、
ライターまたはタバコの炎を検出するための炎センサが各島の間の上方に島の長さ方向に沿って複数設けられ、
各炎センサの検出信号を入力し、入力した検出信号の数に応じて前記給気ファンの給気量および前記排気ファンの排気量を制御可能な制御装置を有することを、
特徴とする遊技場給排気システム。
【請求項３】
外気送風口が各島の両端より外側に設けられ、
空気吸込口が各島の両端より外側の上方に設けられて前記給気ファンに空気を吸引されるよう接続されていることを、
特徴とする請求項１または２記載の遊技場給排気システム。
【手続補正３】
【補正対象書類名】明細書
【補正対象項目名】０００１
【補正方法】変更
【補正の内容】
【０００１】
本発明は、パチンコ店やスロット店などの遊技場に適した遊技場給排気システムに関する。
【手続補正４】
【補正対象書類名】明細書
【補正対象項目名】００１１
【補正方法】変更
【補正の内容】
【００１１】
本発明に係る遊技場給排気システムは、タバコの煙を検出するための煙センサが各島の間の上方に島の長さ方向に沿って複数設けられ、前記給気ファンは給気量を調節可能に構成され、前記排気ファンは排気量を調節可能に構成され、各煙センサの検出信号を入力し、入力した検出信号の数に応じて前記給気ファンの給気量および前記排気ファンの排気量を制御可能な制御装置を有する。
これにより、煙センサがタバコの煙を検出すると、島の長さ方向に沿って検出した数に応じて制御装置が給気ファンの給気量および排気ファンの排気量を制御し、タバコの煙の量が多いとき給気ファンの給気量および排気ファンの排気量を増やし、その量が少ないとき給気ファンの給気量および排気ファンの排気量を減らす。遊技場の空気の汚れは、ほとんどタバコの煙が原因のため、タバコの煙の量に応じて給排気を行うことにより、効率的な換気を行うことができる。複数の煙センサは、所定の間隔で設けられていることが好ましい。なお、煙センサは、二酸化炭素センサから成っていてもよい。
【手続補正５】
【補正対象書類名】明細書
【補正対象項目名】００１２
【補正方法】変更
【補正の内容】
【００１２】
本発明に係る他の遊技場給排気システムは、ライターまたはタバコの炎を検出するための炎センサが各島の間の上方に島の長さ方向に沿って複数設けられ、前記給気ファンは給気量を調節可能に構成され、前記排気ファンは排気量を調節可能に構成され、各炎センサの検出信号を入力し、入力した検出信号の数に応じて前記給気ファンの給気量および前記排気ファンの排気量を制御可能な制御装置を有する。
これにより、炎センサがライターまたはタバコの炎を検出すると、島の長さ方向に沿って検出した数に応じて制御装置が給気ファンの給気量および排気ファンの排気量を制御する。すなわち、検出したライターまたはタバコの炎の数が多いとき、タバコが多く吸われて煙の量が多いと判断して給気ファンの給気量および排気ファンの排気量を増やし、その数が少ないときタバコが吸われておらず煙の量が少ないと判断して給気ファンの給気量および排気ファンの排気量を減らす。遊技場の空気の汚れは、ほとんどタバコが原因のため、ライターまたはタバコの炎の数に応じて給排気を行うことにより、効率的な換気を行うことができる。複数の炎センサは、所定の間隔で設けられていることが好ましい。炎センサには、赤外線センサを用いることができる。
【手続補正６】
【補正対象書類名】明細書
【補正対象項目名】００１６
【補正方法】変更
【補正の内容】
【００１６】
本発明によれば、場所による空気の浄化の偏りをなくし、衛生的な空気環境の確保を容易にする遊技場給排気システムを提供することができる。